(57)【要約】【課題】  共同利用コンピュータを一時的に利用できる状態にあることを利用者に直感的に分かり易くし、利用する共同利用コンピュータを利用者が代えた際に入力装置の操作の慣れを要しない共同利用コンピュータシステムを提供する。【解決手段】  不特定多数の利用者に利用される共同利用コンピュータに着脱可能に接続され、利用者による操作を共同利用コンピュータに入力させる入力装置は、認証情報が入力される認証状態にある場合に認証情報に基づいて利用者を認証する認証部７６と、入力装置固有の秘密情報を記憶する秘密情報記憶部７７と、認証部７６によって正当な利用者であることが認証された場合に秘密情報を共同利用コンピュータに送信する秘密情報送信部７８とを有している。共同利用コンピュータは、秘密情報送信部７８によって送信された秘密情報に基づいて利用者に対応する使用環境を構築する。【選択図】  図６
2006053649.tif 000002
【特許請求の範囲】
【請求項１】
不特定多数の利用者に利用される共同利用コンピュータに着脱可能に接続され、前記利用者による操作を前記共同利用コンピュータに入力させる入力装置であって、
認証情報が入力される認証状態にある場合に前記認証情報に基づいて前記利用者を認証する認証部と、
前記入力装置固有の秘密情報を記憶する秘密情報記憶部と、
前記認証部によって正当な利用者であることが認証された場合に前記秘密情報記憶部に記憶された秘密情報を前記共同利用コンピュータに送信する秘密情報送信部と
を有する入力装置。
【請求項２】
前記入力装置はキーボード装置によって構成され、前記認証情報は、前記キーボード装置を介して入力されたパスワードを含む、請求項１に記載の入力装置。
【請求項３】
複数の拠点にそれぞれ配設され、不特定多数の利用者に利用される共同利用コンピュータと、これら共同利用コンピュータに通信網を介して接続される、少なくとも１つの拠点に配設されたサーバを備え、
前記各共同利用コンピュータは、予め、設定された共通初期環境を有し、当該共同コンピュータの利用開始時に前記共通初期環境と、利用者に対応する使用環境との差分情報に基づいて前記共通初期環境に個々の利用者に対応する前記使用環境を構築し、当該共同利用コンピュータの利用終了時には当該利用者に対応する使用環境を前記共通初期環境に戻すように構成され、
前記複数の共同利用コンピュータの内、利用者が利用した共同利用コンピュータは、記憶・設定された情報群を、請求項１記載の秘密情報に基づいて暗号化し、前記暗号化された暗号文を前記サーバに設けられた記憶手段に暗号化差分情報として記憶し、
その後、前記共同利用コンピュータを利用した利用者がいずれかの共同利用コンピュータを利用する際に、当該コンピュータは前記秘密情報に基づいて前記暗号化差分情報を復号して前記共通初期使用環境を構築する
共同利用コンピュータシステム。
【請求項４】
前記暗号化差分情報は、前記利用者がインターネットを含む外部通信網を介することを含んで前記特定の共同利用コンピュータを用いて作成したファイル群の暗号文を含み、
前記共同利用コンピュータの記憶手段に記憶された前記暗号化差分情報を前記サーバの記憶手段にバックアップするときには、前記サーバの記憶手段に記憶された前回利用された暗号化差分情報と前記共同利用コンピュータの記憶手段に記憶された前記暗号化差分情報とを比較し、前回利用された暗号化差分情報に対して変更された暗号化差分情報のみが暗号化差分情報となるようにバックアップする、請求項３に記載の共同利用コンピュータシステム。
【請求項５】
請求項１または２に記載の入力装置の機能をコンピュータに実行させるための入力プログラム。
【請求項６】
請求項５に記載の入力プログラムを記録した記録媒体。
【発明の詳細な説明】
【技術分野】
【０００１】
本発明は、レンタルオフィス、リモートオフィスといった共同利用形態であっても汎用オペレーションシステムのコンピュータ（パソコン）を安全に使用可能にする共同利用コンピュータシステムに関する。
【背景技術】
【０００２】
従来、レンタルオフィス、リモートオフィスでは、その場所に存在する汎用オペレーションシステムのパソコンを共同で利用するか（かかるパソコンを共同利用パソコンとする）、または、各自でパソコンを持ち込んで利用する（かかるパソコンを持込パソコンとする）必要があった。
【０００３】
しかしながら、持込パソコンを使用する場合には、ネットワークの設定といった個別の設定事項は、自分専用にすることができ、使用環境のカスタマイズは実現できるものの、パソコン自体を持ち運ぶことが必須条件となり不便であった。
【０００４】
一方、共同利用パソコン（一般のスタンドアローンパソコン、ＯＳは、マイクロソフト社製のＷｉｎｄｏｗｓ  ９５，同９８，Ｗｉｎｄｏｗｓ  ＸＰ（いずれも登録商標）等）を使用する場合、自分の会社のネットワークにリモート接続したり、また、インターネットに接続したりするために、利用する前に、事前に、ネットワークの接続を変更したり、メールソフトの各種の設定を行うことを余儀なくされ、日本語の入力に際しても、日本語の辞書等も共同利用となるため、効率が悪く、不便であり、ファイルをハードディスクに保存する際の安全性について、常に利用者自身が注意を払う必要があった。
【０００５】
このような安全性についての問題点を解決する方法としては、特許文献１に記載されている共同利用コンピュータ利用方法がある。この共同利用コンピュータ利用方法では、利用者がパソコンを利用する際に、自分が以前使用していた環境を引き続き別のパソコンで使用することが可能となり、共同利用パソコンが複数箇所に設置されている場合であって、その設置箇所がそれぞれ別の場所である場合でも、同様に自分が以前使用していた環境を引き続き別のパソコンで使用することが可能となる。
【０００６】
すなわち、特許文献１に記載されている共同利用コンピュータ利用方法では、使用環境をバックアップしたパソコンと、その使用環境を復元するパソコンが別であり、それぞれ別の場所に設置されている場合でも、従前の使用環境を不都合なく復元することを可能とする。
【０００７】
また、ファイルをハードディスクに保存する際の安全性については、共同利用コンピュータにおいて、利用者が使った情報を当該共同利用コンピュータにおいて鍵で暗号化し、暗号化した暗号文を当該共同利用コンピュータに対するサーバの記憶手段に暗号化差分情報として記憶させておき、当該サーバに接続可能な共同利用コンピュータを別途使用する際に、当該利用者のみが使用可能なＩＣに記憶された前記鍵と共通の鍵をパラメータとして、当該暗号化差分情報を当該共同利用コンピュータによって復号する、すなわち、共有鍵暗号方式によって暗号化差分情報への暗号化および暗号化差分情報の復号を行うようになっている。
【特許文献１】特開２００１−３４５８０号公報
【発明の開示】
【発明が解決しようとする課題】
【０００８】
しかしながら、特許文献１に示すものは、ＩＣカードをカード・リーダライタに挿入または提示することによって共同利用コンピュータを一時的に利用できる状態になるものの、共同利用コンピュータを一時的に利用できる状態にあることが利用者にとって直感的に分かり難くかった。
【０００９】
また、特許文献１に示すものは、利用者が異なる共同利用コンピュータを利用するたびに入力装置の操作性が変わるため、利用する共同利用コンピュータを代えるたびに入力装置の操作に慣れる必要があった。
【００１０】
したがって、本発明の目的は、共同利用コンピュータを一時的に利用できる状態にあることを利用者に直感的に分かり易くし、利用する共同利用コンピュータを利用者が代えた際に入力装置の操作の慣れを要しない入力装置、共同利用コンピュータシステムプログラム、および記録媒体を提供することにある。
【課題を解決するための手段】
【００１１】
本発明の入力装置は、不特定多数の利用者に利用される共同利用コンピュータに着脱可能に接続され、利用者による操作を共同利用コンピュータに入力させる入力装置であって、認証情報が入力される認証状態にある場合に認証情報に基づいて前記利用者を認証する認証部と、入力装置固有の秘密情報を記憶する秘密情報記憶部と、認証部によって正当な利用者であることが認証された場合に秘密情報記憶部に記憶された秘密情報を共同利用コンピュータに送信する秘密情報送信部とを有する。共同利用コンピュータは、秘密情報送信部によって送信された秘密情報に基づいて利用者に対応する使用環境を構築する。
【００１２】
この構成により、利用者が所有する入力装置を共同利用コンピュータに接続して認証情報を入力することによって共同利用コンピュータが一時的に利用できる状態になるため、共同利用コンピュータを一時的に利用できる状態にあることを利用者に直感的に分かり易くし、利用する共同利用コンピュータを利用者が代えた際に入力装置の操作の慣れを要しない。
【００１３】
また、本発明の共同利用コンピュータシステムは、入力装置がキーボード装置によって構成され、認証情報は、キーボード装置を介して入力されたパスワードを含む。
【００１４】
この構成により、利用者が所有するキーボード装置を共同利用コンピュータに接続してパスワードを入力することによって共同利用コンピュータが一時的に利用できる状態になるため、共同利用コンピュータを一時的に利用できる状態にあることを利用者に直感的に分かり易くし、利用する共同利用コンピュータを利用者が代えた際にキーボード装置の操作の慣れを要しない。
【００１５】
また、本発明の共同利用コンピュータシステムは、複数の拠点にそれぞれ配設された共同利用コンピュータと、これら共同利用コンピュータに通信網を介して接続される、少なくとも１つの拠点に配設されたサーバを備え、各共同利用コンピュータは、予め設定される共通初期環境を有し、共同コンピュータの利用開始時に共通初期環境と、利用者に対応使用環境との差分情報に基づいて共通初期環境に個々の利用者に対応する使用環境を構築し、当該共同利用コンピュータの利用終了時には共通初期環境に戻すように構成され、複数の共同利用コンピュータの内、利用者が利用した共同利用コンピュータは、記憶・設定された情報群を前記秘密情報に基づいて暗号化し、暗号化された暗号文を前記サーバに設けられた記憶手段に暗号化差分情報として記憶し、その後、前記共同利用コンピュータを利用した利用者がいづれかの共同利用コンピュータを利用する際に、当該コンピュータは前記秘密情報に基づいて前記暗号化差分情報を復号して前記共通初期使用環境を構築する。
【００１６】
この構成により、複数の共同利用コンピュータの内、特定の共同利用コンピュータにおいて記憶・設定された情報群を入力装置から送信された秘密情報に基づいて暗号化してサーバに記憶し、利用者が他の共同利用コンピュータを利用する際に、入力装置から送信された秘密情報に基づいてサーバに記憶された暗号化差分情報を復号して共通初期使用環境に構築するため、利用者が所有する入力装置を共同利用コンピュータに接続して認証情報を入力することによって他の共同利用コンピュータにおいて記憶・設定された情報を再現することができる。
【００１７】
また、本発明の共同利用コンピュータシステムは、前記暗号化差分情報は、利用者がインターネットを含む外部通信網を介することを含んで前記特定の共同利用コンピュータを用いて作成したファイル群の暗号文を含み、共同利用コンピュータの記憶手段に記憶された暗号化差分情報をサーバの記憶手段にバックアップするときには、サーバの記憶手段に記憶された前回利用された暗号化差分情報と共同利用コンピュータの記憶手段に記憶された前記暗号化差分情報とを比較し、前回利用された暗号化差分情報に対して変更された暗号化差分情報のみが暗号化差分情報となるようにバックアップすることを特徴としている。
【００１８】
この構成により、暗号化差分情報をサーバ記憶手段にバックアップする毎に、前回利用された暗号化差分情報に対して新規に作成されたり更新される暗号化差分情報を追加する場合には、暗号化差分情報をバックアップする毎にデータ量が増えていくのに対して、本発明のように、サーバの記憶手段に記憶された前回利用された暗号化差分情報と共同利用コンピュータの記憶手段に記憶され、今回新規に作成、更新された暗号化差分情報（ファイル群や共同利用コンピュータの初期使用環境）とを比較し、前回利用された暗号化差分情報に対して今回新規に作成された暗号化差分情報および更新された暗号化差分情報のみを暗号化差分情報となるようにバックアップし、以後、バックアップする毎の上記手順を繰り返すようにすれば、サーバの記憶手段にバックアップする暗号化差分情報の容量を少なくすることができる。
【発明の効果】
【００１９】
本発明は、共同利用コンピュータを一時的に利用できる状態にあることを利用者に直感的に分かり易くし、利用する共同利用コンピュータを利用者が代えた際に入力装置の操作の慣れを要しない共同利用コンピュータシステムを提供することができる。
【発明を実施するための最良の形態】
【００２０】
以下、本発明の実施形態を図面を参照して説明する。
【００２１】
まず、本発明の共同利用コンピュータシステムの実施形態を説明する前に、本発明を実現可能にする共同利用コンピュータシステム、特にシェアードピィシィ（ＳｈａｒｅｄＰＣ、以下、単にＳＰＣという）について説明をする。
【００２２】
ＳＰＣは、外出中のビジネスマン等が自分のオフィスと同様のパソコン環境で仕事を行うことを可能にするパソコンであり、共同作業スペース（レンタルオフィス、自分の会社内の共同作業スペース等）に設置される。
【００２３】
ここで、ターゲットとなるユーザ（利用者）は、例えば、外出中に、会社・学校・インターネットのメールを読んだり、インターネット接続でネットサーフィンを行いたいビジネスマン・学生等の者のみならず、出張先等の出先においてオフィス等のパソコンアプリケーションで利用作成を行いたい者、スケジュールの合間等に時間を潰したい者等が挙げられる。
【００２４】
共同利用パソコン（ＳＰＣ）には、ＯＳとして汎用ＯＳ（Ｗｉｎｄｏｗｓ  ９８、Ｗｉｎｄｏｗｓ  ＸＰ等）が採用され、標準的なアプリケーション（文書作成ソフト、メールソフト、ＷＥＢブラウザ）が何種類かインストール済みとし、ユーザが共同で利用する。
【００２５】
（共同利用コンピュータシステム）
以下、添付図面を参照しながら、共同利用コンピュータシステムについて説明する。図１は共同利用コンピュータシステムＡ１、図２は共同利用コンピュータシステムＡ２、図３は共同利用コンピュータシステムＡ３の構成図である。なお、システム自体の構成は、図１から図３に示す共同利用コンピュータシステムＡ１、Ａ２、Ａ３以外の他の構成であってもよく、当該構成の規模、通信網の整備規模等の状況に応じて、またユーザのニーズに応じて適宜変更し得る。
【００２６】
まず、図１に示す共同利用コンピュータシステムＡ１につき説明する。共同利用コンピュータシステムＡ１は、会社Ｃに構築されているＬＡＮ等の内部通信網ＮＷＣと、レンタルオフィスＬＯ１に構築されているＬＡＮ等の内部通信網ＮＷ１とを、それぞれゲートウェイＧＷを介してインターネットを始めとする外部の各種情報通信網（通信手段）ＮＷと接続自在とするシステム構成を有している。
【００２７】
会社Ｃに構築されている内部通信網ＮＷＣにはサーバＳＣおよびパソコンＣＣが接続されている。説明上、パソコンのうち自己専用パソコンＣＣを一台取り上げて説明する。
【００２８】
通常、ユーザは、自己専用パソコンＣＣからサーバＳＣにアクセスして、メールの読み書き、各種のネットワークサービス、ファイルサーバアクセスといった社内ネットワークサービスを利用しているほか、自己専用パソコンＣＣ内で資料作成等を行っている。
【００２９】
一方、レンタルオフィスＬＯ１の内部通信網ＮＷ１には、ユーザ用の共同利用パソコン（以下、単にパソコンとする）Ｃ１ｊ（添え字ｊは、レンタルオフィスＬＯ１にあるパソコンのナンバー１〜Ｍに該当、一台でもよい）が接続されると共に、サーバＳ１が接続されている。サーバＳ１は、ユーザ情報データベースＤ１１と暗号化差分ファイル群Ｄ１２なるデータを適宜蓄積する。何時どのような場合に蓄積されるかについては、下記の実施形態によって詳細する。
【００３０】
共同利用コンピュータシステムＡ１は、レンタルオフィスＬＯ１にユーザが任意の契機で赴き、会社Ｃの自分専用のパソコンＣＣと同一の使用環境においてパソコンＣ１ｊを利用可能にするシステムである。そのため、作業環境を保存（バックアップ）したり、復元（レストア）するためのサーバＳ１が必ず必要となる。
【００３１】
図２に示す共同利用コンピュータシステムＡ２は、図１に示した共同利用コンピュータシステムＡ１の変形例であり、レンタルオフィスＬＯ１、ＬＯ２、・・、ＬＯＮというように複数のレンタルオフィスが存在する場合である。
【００３２】
レンタルオフィスＬＯｋ（添え字ｋはレンタルオフィスのナンバーであり、１〜Ｎの任意の数）は、共同利用コンピュータシステムＡ２におけるレンタルオフィスの一つの拠点であり、いずれも図１におけるレンタルオフィスＬＯ１と同一の構成であり、サーバＳｋおよびパソコンＣｋ１、・・、Ｃｋｊ（添え字ｋは１〜Ｎの任意の数でＬＯｋのｋと対応）が存在する。
【００３３】
それと共に、各拠点におけるサーバＳ１、・・、ＳＮにおけるファイル群（暗号化差分ファイル群）は、データを一定時間毎に定期的に公知の手法であるミラーリングにすることにより（別の手法であっても差し支えない）同期を取り、同期を取った後は、各サーバＳ１、・・、ＳＮにおける当該ファイル群は最新の同一内容とするように、自動更新される。かかる構成により、いずれのパソコンＣ１１、・・、ＣＮｊからでも作業環境の保存、復元を行うことができる。
【００３４】
図３に示す共同利用コンピュータシステムＡ３は、共同利用コンピュータシステムＡ１、Ａ２とは別の形態であり、レンタルオフィスＬＯ１〜ＬＯＮのように複数のレンタルオフィスが存在し、複数のレンタルオフィスに設置される一または複数のパソコンＣ１１、・・、ＣＮｊに対するサーバＳが、インターネット等の外部通信網により、接続自在とする構成である。各レンタルオフィスに設置されるパソコンＣ１１、・・、ＣＮｊは、図１におけるパソコンと同一構成である。
【００３５】
共同利用コンピュータシステムＡ３は、共同利用コンピュータシステムＡ２のように、各レンタルオフィスにサーバＳ１、・・、ＳＮが設置されることなく、共通オフィスＬＯにのみサーバＳが設置される。すなわち、共同利用コンピュータシステムＡ３におけるファイル群（差分情報ファイル群）にアクセスする際には、レンタルオフィスＬＯ１、・・、ＬＯＮの全ての拠点から、インターネット等の外部通信網ＮＷを経由して、サーバＳにアクセスすることにより、いずれのパソコンからでも、同様に作業環境の保存、復元を行うことができる。
【００３６】
ここで、共同利用コンピュータシステムの基本構成は、図１、図２、図３に示したものに限定されず、会社ＣのサーバＳＣにおいて、レンタルオフィスＬＯｋまたは共通オフィスＬＯに設置のサーバＳ１、・・、ＳＮ、Ｓを設置することも可能である。共同利用コンピュータシステムの構成は、下記の共同利用コンピュータシステムを実現する範囲において適宜変更できる。
【００３７】
（共同利用コンピュータシステム）
以下、図１を参照しながら、共同利用コンピュータシステムＡ１においてレンタルオフィスＬＯ１に設置されたパソコンＣ１１の利用手順を説明することにより、共同利用コンピュータシステムを説明する。
【００３８】
図２、図３における共同利用コンピュータシステムＡ２、Ａ３の場合であっても、同様であることは容易に理解できるであろう。また、図４に示すように、図２に示す共同利用コンピュータシステムＡ２であっても、図２と図４のように異なる利用の仕方があることは、説明するまでもなく明らかである。
【００３９】
また、図中の「会社」、「レンタルオフィス」なる文言は、説明上、本発明の構成、特徴の理解を容易にするために過ぎず、本発明の内容を限定するものではない。「会社」は、パソコンを使用する頻度が最も高い場所としての例示にすぎず、「レンタルオフィス」は、共同作業スペースの例示にすぎない。
【００４０】
＜初回利用手順＞
まず、レンタルオフィスＬＯ１を初めて利用する場合の流れを説明することにする。初めて利用する場合には、以下の手順１〜手順５に従うことになる。手順１は、次の通りである。ユーザは、レンタルオフィスＬＯ１を使用するに当たり、初回の利用時には、前もって、会社Ｃ（自己専用パソコンＣＣ）からサーバＳ１にアクセスして、ユーザＩＤおよびパスワードで構成されるユーザ情報をユーザ情報データベースＤ１１に登録しておく（データの流れをＦ１で示す）。なお、パスワードは暗号化パスワードであることが好ましい。
【００４１】
手順２は、次の通りである。ユーザが、レンタルオフィスＬＯ１の利用を思い立ち、レンタルオフィスＬＯ１に赴くと、例えばパソコンＣ１１を利用できる位置にいることになるが、パソコンＣ１１の利用に先立ち、ユーザ情報データベースＤ１１に基づいてユーザの正当性を認証する（データの流れをＦ２に示す）。
【００４２】
手順３は次の通りである。上記手順２により環境が構築されたパソコンＣ１１を使用して、インターネットへの接続や各種文書等の作成を行う（Ｆ３）。
【００４３】
手順４は次の通りである。パソコンＣ１１の利用が終了する際に、使用環境（パソコンＣ１１に記憶させた情報も含む）をサーバＳ１の暗号化差分ファイル群Ｄ１２として保存する。これには、パソコンＣ１１から削除した情報は暗号化差分ファイル群Ｄ１２から削除されることも含まれる（データの流れをＦ４で示す）。なお、手順３において、パソコンＣ１１のハードディスクの変化に応じて、任意に、または定期的に手順４を行ってもよい。
【００４４】
手順５は次の通りである。パソコンＣ１１内のハードディスクＨＤの第１の記憶領域ＨＤ１に記憶された暗号化差分情報を全て完全に消去する。例えば、利用したハードディスクＨＤの第１の記憶領域ＨＤ１をフォーマットする。この第１の記憶領域ＨＤ１はユーザの使用環境を構築する領域であり、この第１の記憶領域ＨＤ１にユーザの使用環境を構築することにより安全性を確保することができる。
【００４５】
上記したように、初回利用時のユーザの行動と利用手順は、手順１→手順２→手順３→手順４→手順５を標準とする。なお、その変形については後述する。
【００４６】
＜２回目以降の手順＞
次に、２回目以降の利用手順につき説明を行う。２回目以降は、前回の作業環境から、パソコンの利用を継続可能にし、以下の手順で行う。
【００４７】
手順６は次の通りである。ユーザが、２回目以降にレンタルオフィスＬＯ１の使用を思い立ち、レンタルオフィスＬＯ１に赴くと、パソコンＣ１１（前回の利用したパソコンと同一である必要性はない、図４参照）を利用できる位置にいるが、パソコンＣ１１を使用するに先立ち、２回目以降の利用時に、ユーザの正当性を認証し、前回手順４で保存した環境を暗号化差分ファイル群Ｄ１２からパソコンＣ１１に復元する（データの流れをＦ６に示す）。
【００４８】
それ以降は、上記手順３、手順４、手順５を順に行う。すなわち、２回目以降のユーザの行動および利用手順は、手順６→手順３→手順４→手順５を標準とする。
【００４９】
図５は、共同利用コンピュータシステムＡ１の内部構成を示している。なお、図５は、本発明の実施に必要となる範囲の内部構成であり、通常のサーバ、パソコンに備わる機能は当然に含まれているが、図面上省略してある。
【００５０】
また、図５の内部構成は、図１に示した共同利用コンピュータシステムＡ１に限らず、図２、図３、図４に示した共同利用コンピュータシステムＡ２、Ａ３の場合であっても同様であり、図５は、その内部構成および機能、ひいては本発明の差分情報利用方法を説明するための図面であり、内部通信網ＮＷＣ、ＮＷ１、・・、外部通信網ＮＷ、ゲートウェイＧＷ等はラインＬで示してある。また、矢印は各種情報のやり取りを示す。
【００５１】
共同利用パソコンＣ１ｊ（ｊは任意の数）は、マウス、マイク等の入力器５を備え、内部は、当該共同利用パソコンＣ１ｊの内部を制御するメイン制御部６と、共通初期環境をハードディスクＨＤに構築する共通初期環境復元部１０と、サーバＳ１の暗号化差分ファイル群Ｄ１２とハードディスクＨＤの情報とを比較し変更ファイルリストおよび削除ファイルリストからなる差分リストを抽出する差分抽出部１１と、差分抽出部１１から差分リストを基に変更ファイルリストのファイル群を暗号化し暗号化差分ファイル群Ｄ１２に記憶させ削除ファイルリストのファイル群を暗号化差分ファイル群Ｄ１２から削除する一方、暗号化差分ファイル群Ｄ１２の各ファイルを復号しハードディスクＨＤに記憶させる暗号化／復号サーバ読み書き部１２と、ハードディスクＨＤ等の記録手段で構成される。
【００５２】
メイン制御部６は、共同利用パソコンＣ１ｊに記録されるファイル群をサーバＳ１にバックアップする際には、サーバＳ１からのファイルリストＦＬ１ｉを読み出すとともにハードディスクＨＤの第２の記憶領域ＨＤ２に記憶された、前回のバックアップ処理に使ったファイルリストＦＬ２ｉを読み出し、差分抽出部１１を起動させ、ファイルリストＦＬ１ｉとＦＬ２ｉに記憶されたファイル情報を差分抽出部１１に渡す機能と、セッション鍵ＳＫｉを生成させる機能を有する。
【００５３】
差分抽出部１１は、サーバＳ１上に格納されるＦＬ１ｉと共同利用パソコンＣ１ｊのハードディスクＨＤの第２の記憶領域ＨＤ２から読み出されたファイルリストＦＬ２ｉのファイル情報を比較して、変更ファイルリスト、削除ファイルリストを作成し、暗号化／復号サーバ読み書き部１２に送る機能を有する。
【００５４】
暗号化／復号サーバ読み書き部１２は、当該送られた変更ファイルリストに対応するファイルを順番にファイル単位で、後述する鍵情報ＸＫｉをパラメータとして各々暗号化し、サーバＳ１上のユーザＩＤ（ユーザＩＤ＝ｉ）の領域に暗号差分ファイル群Ｄ１２としてユニークなファイル名（例えば、１，２，３というシリアル番号）付与してコピーする機能を有する。
【００５５】
一方で、差分抽出部１１から送られた削除ファイルリストに対応するファイルを、サーバＳ１上の当該ＩＣカード３のユーザＩＤ（ユーザＩＤ＝ｉ）の領域の暗号化差分ファイル群Ｄ１２から削除する機能をも有するものである。
【００５６】
共通初期環境復元部１０は、共同利用パソコンＣ１ｊの第の記憶領域ＨＤ２上に共通初期環境を復元するための手段である。この共通初期環境の作成については後述する。具体的には、例えば、共通初期環境が記録されているＣＤ−ＲＯＭを共同利用パソコンＣ１ｊに付属する起動用記録媒体ドライブ（例えば、ＣＤ−ＲＯＭドライブ。図示せず）に挿入し、共同利用パソコンＣ１ｊの電源を投入し、ＣＤ−ＲＯＭからブートすることにより共通初期環境が実現する。
【００５７】
ハードディスクＨＤは、上述したように第１の記憶領域ＨＤ１と第２の記憶領域ＨＤ２に分かれており、それぞれの記憶領域ＨＤ１、ＨＤ２では、変更ファイル、未変更ファイルやファイルリストＦＬ２ｉ等を記憶するための手段である。
【００５８】
また、共同利用パソコンＣ１ｊには、入力装置７が着脱可能に接続できるようになっており、本実施形態においては、入力装置７はキーボード装置によって構成されている。
【００５９】
図６は、キーボード装置によって構成された入力装置７の構成図である。
【００６０】
入力装置７は、複数のキーよりなる入力部７１と、認証情報が入力される認証状態、および入力部７１で押下されたキーを表すキーコードを共同利用パソコンＣ１ｊに出力するキーコード出力状態のいずれか一方の状態に設定される状態設定部７２と、状態設定部７２がキーコード出力状態にある場合に、入力部７１で押下されたキーに対応するキーコードや押下状態を表すキー情報をバッファリングするキーボードバッファ７３と、バッファリングされたキー情報を送信するキー情報送信部７４と、キー情報などの情報を共同利用パソコンＣ１ｊと送受信するパソコンインタフェイス７５と、状態設定部７２が認証状態にある場合に、認証情報に基づいて利用者を認証する認証部７６と、入力装置７固有の秘密情報を記憶する秘密情報記憶部７７と、認証部７６によって正当な利用者であることが認証された場合に秘密情報記憶部７７に記憶された秘密情報を共同利用パソコンＣ１ｊにパソコンインタフェイス７５を介して送信する秘密情報送信部７８とで構成される。
【００６１】
認証部７６は、状態設定部７２が認証状態にある場合に、入力部７１を介して入力されたキーによって構成される文字列と予め記憶された装置パスワードとが等しいか否かに基づいて利用者を認証するようになっている。
【００６２】
ここで、認証部７６によって正当な利用者であることが認証されなかった場合には、例えば、キー情報送信部７４によるキー情報の送信が禁止され、入力装置７の使用は不能となる。
【００６３】
秘密情報には、ユーザＩＤ（ユーザＩＤ＝ｉ）、パスワード、鍵情報ＸＫｉが含まれる。ここでのユーザＩＤのｉと鍵情報ＸＫｉの添え字ｉとは同一の番号である。
【００６４】
鍵情報ＸＫｉは、共同利用パソコンＣ１ｊの利用開始時に暗号化差分ファイル群Ｄ１２に記憶されたファイル群を復号したり、共同利用パソコンＣ１ｊの利用終了時に暗号化差分ファイル群Ｄ１２に記憶されるファイル群を暗号化したりする鍵である。
【００６５】
また、ユーザＩＤおよびパスワードは、認証部７６によって正当な利用者であることが認証された際に入力部７１を介して変更可能になっており、共同利用パソコンＣ１ｊを利用するにあたって、上述した手順１で自己専用パソコンＣＣからサーバＳ１にアクセスしてユーザ情報データベースＤ１１に登録されたものと同一なものを利用者が事前に登録する。なお、ユーザＩＤおよびパスワードの登録時に、鍵情報ＸＫｉは自動生成されることが望ましい。
【００６６】
入力装置７を構成するキーボード装置としては、利用者が携帯できるよう折り畳み可能なものが好適である。なお、本実施形態では、入力装置７をキーボード装置によって構成する例を説明したが、入力装置７をマウスなどの他の入力デバイスによって構成してもよい。
【００６７】
また、本実施形態では、認証情報がパスワードを含む例を説明したが、認証情報は入力装置７の利用者を認証できる情報を含んでいればよく、例えば、入力装置７に設けられたセンサを介して入力された指紋情報などの生体情報を含むようにしてもよい。
【００６８】
図５において、サーバＳ１は、少なくとも設定登録部２１と、ＣＧＩプログラム２２と、ユーザ情報データベースＤ１１と、暗号化差分ファイル群Ｄ１２とを備えている。自己専用パソコンＣＣはＷＥＢブラウザ３３を備えている。
【００６９】
設定登録部２１は、共通利用パソコンＣ１ｊを利用しようとする利用者がサーバＳ１にユーザＩＤ部２１およびパスワードで構成されるユーザ情報の登録を提供する手段であり、ＷＥＢサーバ等で構成される。また、ＣＧＩプログラム２２は、設定登録部２１のサーバＳ１側での処理を実現するために提供されるものであり、既存の手段であるため、特段説明を要しないであろう。
【００７０】
ここで、図１、図５および図６を参照しながら、上記手順に従い、共同利用コンピュータシステムＡ１各部の詳細を含め共同利用コンピュータシステムの実施形態につき、説明する。なお、上記手順のうち、手順３および手順５については、周知事項であるので、説明を省略する。
【００７１】
なお、初めて共同利用コンピュータシステムＡ１を使用するに先立ち（手順１と手順２の間）、ユーザは、利用に必携となるユーザ毎の入力装置７を入手しておき、入力装置７にユーザＩＤおよびパスワードを登録しておく。
【００７２】
＜＜手順１＞＞
手順１は、使用環境を事前に登録する手順である。ユーザは会社Ｃの自己専用パソコンＣＣから、レンタルオフィスＬＯ１のサーバＳ１上で起動中の設定登録部２１にアクセスして、パソコン環境をサーバＳ１に登録する。具体的には、以下の通りである。
【００７３】
まず、自己専用パソコンＣＣからサーバＳ１上で起動中の設定登録部２１（ＷＥＢサーバで等構成）にアクセスすると、ＣＧＩプログラム２２が起動され、設定登録部２１が表示する設定画面が自己専用パソコンＣＣに表示される。
【００７４】
当該画面Ｇの一例を図７に示す。ユーザは、入力器５を用いて表示された設定画面ＷＥＢブラウザ等から任意のユーザＩＤおよびパスワードを入力する（手順１−１）。
【００７５】
そして、ＣＧＩプログラム２２が、設定登録部２１からユーザＩＤおよびパスワードを受け取り、ユーザＩＤ＝ｉをキーとしてユーザ情報データベースＤ１１に登録する（手順１−２）。この時点で手順１が終了する。
【００７６】
＜＜手順２＞＞
手順２は、初回のユーザが、ユーザの正当性を認証する手続である。なお、このとき、共通初期環境の復元が終了していることを条件とする。すなわち、パソコンＣ１ｊのハードディスクＨＤの第１の記憶領域ＨＤ１が共通初期環境になっていればよい。共通初期環境復元およびその前提となる共通初期環境作成についての詳細は後述する。
【００７７】
まず、ユーザは、パソコンＣ１ｊに入力装置７を接続する（手順２−１）。
【００７８】
パソコンＣ１ｊに入力装置７が接続されると、パソコンＣ１ｊから入力装置７に向けて接続された旨の情報が送信される。この情報を受けて入力装置７の状態設定部７２は認証状態に設定され、それと同時に、入力装置７の接続を検知したパソコンＣ１ｊは、「装置パスワード」の入力を促す画像をパソコンＣ１ｊの画面に表示する（手順２−２）。
【００７９】
次に、ユーザは、図示しない表示画面を見ながら「装置パスワード」を入力装置７に投入し、投入された「装置パスワード」に基づいてユーザが正当な利用者であるか否かが入力装置７の認証部７６によって認証される（手順２−３）。
【００８０】
入力装置７の認証部７６によって正当な利用者であることが認証されると、入力装置７の状態設定部７２がキーコード出力状態に設定されると共に、入力装置７の秘密情報送信部７８によって秘密情報がメイン制御部６に送信される（手順２−４）。
【００８１】
すると、メイン制御部６が、サーバＳ１上のユーザ情報データベースＤ１１からユーザＩＤがｉに対応するレコードを検索して、当該レコード上のユーザＩＤとパスワードを読み出した後に、ユーザＩＤとパスワードが入力装置７によって送信された秘密情報に含まれるユーザＩＤとパスワードとそれぞれ同一か判断して確認（認証）し、正当に認証されると手順３に進む。
【００８２】
なお、上述した認証方法は、ＵＮＩＸのＭＡＣ認証のような手法でもよく、認証が行えれば手法は問わない。また、手順２では、ファイルリストＦＬ１ｉが作成されサーバＳ１上に保存される。なお、ここでのユーザＩＤのｉとファイルリストＦＬ１ｉの添え字ｉとは同一の番号である。
【００８３】
＜＜手順４＞＞
手順４は、パソコンＣ１ｊの利用が終了する際に、使用環境をサーバＳ１に保存する手順である。なお、終了時に行う必然性はなく、パソコンＣ１ｊを使用中、定期的、任意に行ってもよい。
【００８４】
ここでのポイントは、ユーザがバックアップすること自体に要する時間を極力短くすること、パソコンＣ１ｊからサーバＳ１へ送られ、サーバＳ１で記憶される情報がパソコンＣ１ｊ内（入力装置７内でもよい）で暗号化されること等が挙げられる。以下の説明においては、パソコン終了時における場合を取り上げる。
【００８５】
バックアップ処理の開始時には、ハードディスクＨＤの第２の記憶領域ＨＤ２にファイルリストＦＬ２ｉを作成する。なお、ここでのユーザＩＤのｉとファイルリストＦＬ２ｉの添え字ｉとは同一の番号である。
【００８６】
このファイルリストＦＬ２ｉにはファイル情報が記憶されるようになっており、ファイル情報としてはファイル名とプロパティとが含まれ、プロパティにはファイルサイズ、タイムスタンプ、属性情報（読取専用、隠しファイル等）が含まれる。
【００８７】
そして、ファイルリストＦＬ２ｉには新規に作成されたファイルに関しては新規のファイル情報を記憶し、変更されたファイルに関しては変更されたプロパティを記憶し、削除されたファイルに関しては、例えばファイルサイズにマイナスの属性が付与されたプロパティを記憶する。
【００８８】
メイン制御部６は、サーバＳ１からファイルリストＦＬ１ｉを読み出すと共にハードディスクＨＤの第２の記憶領域ＨＤ２に記憶されたファイルリストＦＬ２ｉを読み出した後、差分抽出部１１を起動させ、ファイルリストＦＬ１、ＦＬ２ｉに記憶されたファイル情報を差分抽出部１１に渡す（手順４−１）。
【００８９】
そして、差分抽出部１１は、サーバＳ１から読み出されたファイルリストＦＬ１ｉのファイル情報とハードディスクＨＤの第２の記憶領域ＨＤ２から読み出されたファイルリストＦＬ２ｉのファイル情報を比較し、以下の認識をする。
Ａ）ファイルリストＦＬ１ｉに存在せず、ファイルリストＦＬ２ｉに存在するファイルについては、新規ファイルとして認識する。
Ｂ）ファイルリストＦＬ１ｉ，ＦＬ２ｉの両方に存在するファイルについては、プロパティが変更されたもの、例えば、属性情報やタイムスタンプが変更されているもの、あるいはファイルサイズが変更されたものを更新ファイルとして認識する。
Ｃ）ファイルリストＦＬ１ｉに存在し、ファイルリストＦＬ２ｉに存在しないファイル（すなわち、ファイルサイズにマイナスの属性が付与されたファイル）については、削除ファイルとして認識する。
Ｄ）上記（Ａ）〜（Ｃ）以外のファイルについては、未変更ファイルとして認識する。
【００９０】
そして、上記認識に基づき、差分抽出部１１は、新規ファイルおよび変更ファイルとして認識したファイルについては、かかるファイル名のリストを変更ファイルリストとし、一方、削除ファイルとして認識したファイルについては、かかるファイル名のリストを削除ファイルリストとしてそれぞれ作成する（手順４−２）。
【００９１】
次いで、差分抽出部１１が、変更ファイルリスト、削除ファイルリストを暗号化／復号サーバ読み書き部１２に送る（手順４−３）。
【００９２】
暗号化／復号サーバ読み書き部１２は、メイン制御部６から得た変更ファイルリストに対応するファイルを順番にファイル単位で、入力装置７によって送信された秘密情報に含まれる鍵情報ＸＫｉをパラメータとして各々暗号化し、次いで、サーバＳ１上のユーザＩＤ（ユーザＩＤ＝ｉ）の領域に暗号化差分ファイル群Ｄ１２としてユニークなファイル名（例えば、１、２、３というシリアル番号等）を付与してコピーする一方、差分抽出部１１から送られた削除ファイルリストに対応するファイルを、サーバＳ１上のユーザＩＤ（ユーザＩＤ＝ｉ）の領域の暗号化差分ファイル群Ｄ１２から削除する。また、上述したように作成されたファイルリストＦＬ２ｉをファイルリストＦＬ１ｉにコピーしてサーバＳ１上に暗号化差分ファイルと共に保存する（手順４−４）。
【００９３】
以上の処理（差分・増分バックアップ処理）を図８に基づいて説明する。
【００９４】
まず、パソコンＣ１ｊの第１の記憶領域ＨＤ１内が共通初期環境になっている状態（Ａ参照）でファイルリストＦＬ１ｉを作成してサーバＳ１上に保存する。ここでは、ファイルリストＦＬ１ｉは空である。
【００９５】
この状態からパソコンＣ１ｊを利用して共通初期環境やファイルの新規作成、更新、削除等の変更作業を行う（Ｂ参照）。
【００９６】
なお、Ｂにおいて、Ｄ′（ｔ１）、Ｅ′（ｔ１）が更新ファイル（Ｆ（ｔ０）に相当する共通初期環境は削除）を示し、Ｇ（ｔ１）、Ｈ（ｔ１）、Ｉ（ｔ１）が新規作成ファイル（この新規作成ファイルはファイルと共通初期環境を含む）を示す。また、ｔは時間を示し、ｔ１およびｔ２はｔ０に対して時間が経過したことを示し、数字の数が増える程ｔ０に対して時間が経過したことを示す。
【００９７】
この状態でファイルをサーバＳ１に暗号化差分情報としてバックアップする場合には、まず、上述したようにしてファイルリストＦＬ２ｉを作成し、このファイルリストＦＬ２ｉに基づいて共通初期環境に対して変更された部分の差分情報である変更ファイルＤ′（ｔ１）、Ｅ′（ｔ１）、Ｇ（ｔ１）、Ｈ（ｔ１）、Ｉ（ｔ１）をバックアップするとともに、ファイルリストＦＬ２ｉをファイルリストＦＬ１ｉにコピーしてサーバＳ１に保存する（Ｃ参照）。
【００９８】
次いで、パソコンＣ１ｊ（パソコンＣ１ｊに限らない）を２回目に利用する場合には、サーバＳ１に記憶されたファイルリストＦＬ１ｉに基づいて第１の記憶領域ＨＤ１に１回目に構築された共通初期環境（Ｄ参照）に対してプロパティが変更された暗号化差分情報Ｄ′（ｔ１）、Ｅ′（ｔ１）、Ｇ（ｔ１）、Ｈ（ｔ１）、Ｉ（ｔ１）をダウンロードし、ファイルリストＦＬ２ｉに基づいて削除ファイルを削除し、１回目に構築された共通初期環境に暗号化差分情報を復元する（Ｅ参照）。
【００９９】
次いで、パソコンＣ１ｊを２回目に利用して、Ｆに示すように共通初期環境やファイルの新規作成、更新、削除等の変更作業を行ったものとする。
【０１００】
この作業の終了後に変更ファイルをサーバＳ１に暗号化差分情報としてバックする場合、上述したようにしてファイルリストＦＬ２ｉを作成した後、サーバＳ１からファイルリストＦＬ１ｉをダウンロードし、ファイルリストＦＬ１ｉとファイルリストＦＬ２ｉとを比較して、その差分であるファイル、すなわち、（Ｇ）で示す上の２段のファイルを暗号化差分ファイルとしてバックアップし、バックアップ終了後にファイルリストＦＬ２ｉをファイルリストＦＬ１ｉにコピーしてサーバＳ１上に保存する。
【０１０１】
ここで、従来では、Ａで示す共通初期環境に対して変更されたファイルのプロパティをバックアップしていたが（Ｇ参照）、このようにすると、サーバＳ１にバックアップされる暗号化差分情報がパソコンＣ１ｊを利用する毎に増大して行くことになる。
【０１０２】
これに対して、本実施形態では、サーバＳ１上に前回保存されたファイルリストＦＬ１ｉと今回作成したファイルリストＦＬ２ｉとを比較し、それらの差分のファイルのみをバックアップすることにより、サーバＳ１にバックアップされるファイルの容量を少なくすることができる。
【０１０３】
また、本実施形態では、上述した差分・増分バックアップ処理を行うことにより、以下のような効果を得ることができる。
【０１０４】
サーバＳ１に記憶されたファイルリストＦＬ１ｉのファイルのタイムスタンプと第２の記憶領域ＨＤ２のファイルリストＦＬ２ｉのファイルのタイムスタンプとを比較し、タイムスタンプが新しくなったファイルをバックアップする従来のものにあっては、パソコンＣ１ｊの使用中に何等かの理由で時刻が過去に戻ってしまった場合に、変更ファイルのタイムスタンプがサーバＳ１に記憶されたファイルリストＦＬ１ｉのタイムスタンプよりも古くなってしまうことから、バックアップ処理が行われなくなってしまう。
【０１０５】
これに対して、本実施形態では、サーバＳ１上に前回保存されたファイルリストＦＬ１ｉと今回作成したファイルリストＦＬ２ｉとをタイムスタンプに関わらずに比較し、それらの差分のファイルのみをバックアップすることにより、パソコンＣ１ｊの使用中に何等かの理由で時刻が過去に戻ってしまった場合であっても、確実に差分情報をバックアップすることができる。
【０１０６】
＜＜手順６＞＞
手順６は、２回目以降において同一のユーザが、レンタルオフィスＬＯ１を使用する場合の手順である。まず、ユーザの正当性を認証することが必須となり、手順４に従ってバックアップした暗号化差分ファイル群Ｄ１２をパソコンＣ１ｊ（前回使用したパソコンである必然性はない）に復元させることになる。以下に、その例を説明する。
【０１０７】
ユーザは、パソコンＣ１ｊに入力装置７を接続する（手順６−１）。
【０１０８】
パソコンＣ１ｊに入力装置７が接続されると、パソコンＣ１ｊから入力装置７に向けて接続された旨の情報が送信される。この情報を受けて入力装置７の状態設定部７２は認証状態に設定され、それと同時に、入力装置７の接続を検知したパソコンＣ１ｊは、「装置パスワード」の入力を促す画像をパソコンＣ１ｊの画面に表示する（手順６−２）。
【０１０９】
次に、ユーザは、図示しない表示画面を見ながら「装置パスワード」を入力装置７に投入し、投入された「装置パスワード」に基づいてユーザが正当な利用者であるか否かが入力装置７の認証部７６によって認証される（手順６−３）。
【０１１０】
入力装置７の認証部７６によって正当な利用者であることが認証されると、入力装置７の状態設定部７２がキーコード出力状態に設定されると共に、入力装置７の秘密情報送信部７８によって秘密情報がメイン制御部６に送信される（手順６−４）。
【０１１１】
このとき、メイン制御部６は、サーバＳ１上のユーザＩＤがｉに対応するレコードを検索して当該レコード上のユーザＩＤとパスワードを読み出した後、ユーザＩＤとパスワードとが入力装置７によって送信された秘密情報に含まれるユーザＩＤとパスワードと同一か判断して確認した上で、暗号化／復号サーバ読み書き部１２にリストア指示を送る（手順６−５）。
【０１１２】
その後、暗号化／復号サーバ読み書き部１２は、メイン制御部６からのユーザＩＤおよび、入力装置７によって送信された秘密情報に含まれる鍵情報ＸＫｉを受け取り、鍵情報ＸＫｉでファイル群を復号し、逐次ハードディスクＨＤの第１の記憶領域ＨＤ１に書き込む（手順６−６）。
【０１１３】
このように、本実施形態では、利用者が所有する入力装置７をパソコンＣ１ｊに接続して認証情報を入力することによってパソコンＣ１ｊが一時的に利用できる状態になるため、パソコンＣ１ｊを一時的に利用できる状態にあることを利用者に直感的に分かり易くし、利用するパソコンＣ１ｊを利用者が代えた際に入力装置７の操作の慣れを要しない。
【０１１４】
＜＜共通初期環境作成＞＞
ここで、共通初期環境作成につき詳細する。この共通環境作成は、レンタルオフィスをオープンした際に、レンタルオフィスＬＯ１の提供者（オフィスサービス提供者）が１度だけ行う必要がある。
【０１１５】
具体的には、以下の手法が考えられるが、別にこれに限定されるものではない。例えば、全ユーザの共通初期環境の入った起動用記録媒体（例えば、ＣＤＲＯＭ）を、ＤｒｉｖｅＩｍａｇｅＰＲＯといったハードディスクＨＤ上の全てのデータを一括して保存時の状態に復元可能にするアプリケーション(公知）を使用して、共通初期環境を作成する一方、それをＣＤＲＯＭに作成する方法や第２の記憶領域ＨＤ２に記憶する手法がある。
【０１１６】
また、全ユーザの共通初期環境の入った共通初期環境が第２の記憶領域ＨＤ２にあってもよい。
【０１１７】
また、このとき、その他の文書等の作成用アプリケーション、レンタルオフィスＬＯ１のパソコンＣ１ｊで提供されるサービスのアプリケーションもインストールされる必要がある。
【０１１８】
＜＜共通初期環境の復元＞＞
また、共同利用コンピュータシステムＡ１は、共同利用パソコンを構成の一要素とするため、一人のユーザに係る情報の安全性を確保すると共に、いずれのユーザが共同利用パソコンを使用する際にも、同一の環境を整備しておく必要性がある。その作業が共通初期環境の復元である。
【０１１９】
ユーザは、手順７で作成した起動用記録媒体（例えば、起動用ＣＤＲＯＭ）をパソコンＣ１ｊに付属する起動用記録媒体ドライブ（例えば、ＣＤＲＯＭドライブ）に挿入し、パソコンＣ１ｊの電源を投入する。すると、例えばＣＤＲＯＭからブート後に第１の記憶領域ＨＤ１に共通初期環境を展開することになる。
【０１２０】
また、それ以外に、第２の記憶領域ＨＤ２のＯＳを起動して第２の記憶領域ＨＤ２上の共通初期環境を第１の記憶領域ＨＤ１に展開する方法もある。なお、上述したＣＤＲＯＭから共通初期環境をブートするのに代えてパソコンＣ１ｊと通信可能な図示しないネットワーク上のサーバからブートしてもよい。
【０１２１】
＜＜手順８＞＞
なお、例えば、図１の共同利用コンピュータシステムＡ１によって、会社Ｃの自己専用パソコンＣＣからの上記手順１を踏まない場合、すなわち、レンタルオフィスＬＯ１を使用したいとにわかに思い立ったとき、また、特に手順１を行うまでの当該ユーザ情報の登録の手間を惜しまない場合では、レンタルオフィスＬＯ１に赴き、共通初期環境下で、以下の手順８を踏むことになる。
【０１２２】
ユーザは、パソコンＣ１ｊに入力装置７を接続する（手順８−１）。
【０１２３】
パソコンＣ１ｊに入力装置７が接続されると、パソコンＣ１ｊから入力装置７に向けて接続された旨の情報が送信される。この情報を受けて入力装置７の状態設定部７２は認証状態に設定され、それと同時に、入力装置７の接続を検知したパソコンＣ１ｊは、「装置パスワード」の入力を促す画像をパソコンＣ１ｊの画面に表示する（手順８−２）。
【０１２４】
次に、ユーザは、図示しない表示画面を見ながら「装置パスワード」を入力装置７に投入し、投入された「装置パスワード」に基づいてユーザが正当な利用者であるか否かが入力装置７の認証部７６によって認証される（手順８−３）。
【０１２５】
入力装置７の認証部７６によって正当な利用者であることが認証されると、入力装置７の状態設定部７２がキーコード出力状態に設定されると共に、入力装置７の秘密情報送信部７８によって秘密情報がメイン制御部６に送信される（手順８−４）。
【０１２６】
以上は、上記手順６と同じ手順を行うことで達成できるものであり、実施（プログラム化等）の際の手間を省くことができる。また、秘密情報に含まれるユーザＩＤおよびパスワードは、かかる時（または暗号化差分バックアップ処理の最初に）、サーバＳ１のユーザ情報データベースＤ１１に設定されることになる。
【０１２７】
上記説明した手順の流れを整理すると、図９のようになる。共同利用コンピュータシステムの共同利用コンピュータ（ＳＰＣ）の使用に関する標準的な手順は、ステップ１０１→ステップ１０２→ステップ１０３→ステップ１０４→ステップ１０５→ステップ１１０→ステップ１１１→ステップ１１２→（ステップ１１３→）ステップ１１４→ステップ１０１→ステップ１０８→ステップ１０９→ステップ１１０→ステップ１１１→ステップ１１２→（ステップ１１３→）ステップ１１４→・・である。ここで、共同利用コンピュータ（ＳＰＣ）は、共通初期環境の復元がなされているものとする。
【０１２８】
まず、ユーザとしては、ＳＰＣを使用経験の有無により（ステップ１０１）、使用経験なしの場合には、ＳＰＣのユーザ登録を事前に行うか否かの判断をすることになる（ステップ１０２）。
【０１２９】
ステップ１０２で事前にユーザ登録をする場合には、上記手順１を踏むことになる（ステップ１０３）。ステップ１０３を経たユーザは、現にＳＰＣを使用しようとするか否かにより（ステップ１０４）、使用しようとすれば、上記手順２を踏むことになる（ステップ１０５）。一方、ステップ１０２で事前にユーザ登録しない場合であって、現にＳＰＣを使用しようとすれば（ステップ１０６）、上記手順１、手順２を踏むことなしに、上記手順８を踏むことになる（ステップ１０７）。また、ステップ１０１において過去にＳＰＣを使用した経験があって、現にＳＰＣを使用しようとするか否かにより（ステップ１０８）、使用しようとすれば、上記手順６を踏むことになる（ステップ１０９）。
【０１３０】
ステップ１０５、ステップ１０７、ステップ１０９を経た場合には、ユーザはＳＰＣを使用し（ステップ１１０）、当該使用中または使用後に、上記手順５により差分情報の暗号文を記憶させ（ステップ１１１）、ユーザ自身がハードディスクＨＤの第１の記憶領域ＨＤ１をフォーマットするか否かにより（ステップ１１２）、ステップ１１２でＹｅｓの場合には第１の記憶領域ＨＤ１のフォーマットを経由して（ステップ１１３）、共通初期環境の復元を行うことになる（ステップ１１４）。
【０１３１】
なお、ステップ１１２でＮｏであっても、ステップ１１４において、共通初期環境の復元において実質的にフォーマットされることになるので、ステップ１１３を行うことは必須ではない。単なるユーザに安心感を与えるに過ぎない。そして、ステップ１１４を経ると、再度、ステップ１０１に戻ることになる。なお、ステップ１１４は、ＳＰＣの管理者、提供者が行うことが標準となるが、別にユーザが行ってもよい。
【０１３２】
なお、このプロセス自体も特に、上記本発明の特徴を一側面から示したものであり、上記した本発明の効果を奏する範囲において、また、システムの構成態様に応じて、適宜変更実施し得るものである。
【０１３３】
以上、本発明の実施形態を説明したが、本発明は、必ずしも上記した事項に限定されるものではなく、本発明の目的を達し、上記した本発明の効果を奏する範囲において、適宜変更実施可能である。
【０１３４】
なお、入力装置の機能は専用のハードウェアにより実現されるもの以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【図面の簡単な説明】
【０１３５】
【図１】本発明の一実施形態の共同利用コンピュータシステムの構成図である。
【図２】本発明の一実施形態の、図１とは別の共同利用コンピュータシステムの構成図である。
【図３】本発明の一実施形態の、図１、図２とは別の共同利用コンピュータシステムの構成図である。
【図４】図１における共同利用コンピュータシステムとは別の共同利用コンピュータシステムの形態を示したものである。
【図５】図１における共同利用コンピュータシステムの構成図である。
【図６】本発明の一実施形態の共同利用コンピュータシステムを構成し、キーボード装置によって構成された入力装置の構成図である。
【図７】本発明の一実施形態の共同利用コンピュータシステムの手順１における画面表示の一例である。
【図８】本発明の一実施形態の共同利用コンピュータシステムの差分・増分バックアップ処理を示す図である。
【図９】本発明の一実施形態の共同利用コンピュータシステムの全体の流れ図である。
【符号の説明】
【０１３６】
Ａ１、Ａ２、Ａ３    共同利用コンピュータシステム
Ｃ    会社
ＣＣ    自己専用パソコン
Ｃ１１、Ｃ１ｊ、ＣＮ１、ＣＮｊ    共同利用パソコン（パソコン）
Ｄ１１    ユーザ情報データベース
Ｄ１２    暗号化差分ファイル群
Ｇ    画面
ＧＷ    ゲートウェイ
ＨＤ    ハードディスク
ＨＤ１    第１の記憶領域
ＨＤ２    第２の記憶領域
ＮＷ    外部通信網
ＮＷＣ、ＮＷ１、ＮＷＮ    内部通信網
Ｌ    ライン
ＬＯ１、ＬＯＮ    レンタルオフィス
５    入力器
６    メイン制御部
７    入力装置
１０    共通初期環境復元部
１１    差分抽出部
１２    暗号化／復号サーバ読み書き部
２１    設定登録部
２２    ＣＧＩプログラム
３３    ＷＥＢブラウザ
７１    入力部
７２    状態設定部
７３    キーボードバッファ
７４    キー情報送信部
７５    パソコンインタフェイス
７６    認証部
７７    秘密情報記憶部
７８    秘密情報送信部
１０１〜１１４    ステップ
【図１】
2006053649.tif 000003
【図２】
2006053649.tif 000004
【図３】
2006053649.tif 000005
【図４】
2006053649.tif 000006
【図５】
2006053649.tif 000007
【図６】
2006053649.tif 000008
【図７】
2006053649.tif 000009
【図８】
2006053649.tif 000010
【図９】
2006053649.tif 000011